(57)【要約】本発明による差込装置（１）が、差込コネクタユニット（３）に組込まれていて受容部（５）のバックカット部（３５）に係合し、これにより差込コネクタユニット（３）を受容部（５）に固定するばねを有している。このことが、差込コネクタユニット（３）と受容部（５）との簡単かつコスト安な組付けを形成する。
2004518980.tif 000002
【特許請求の範囲】
【請求項１】
特にセンサのための差込装置（１）であって、差込コネクタユニット（３）と受容部（５）とが設けられており、受容部（３）内に差込コネクタユニット（３）が少なくとも部分的にリバーシブルに差込み可能であり、その場合、差込コネクタユニット（３）にばね（１１）が配置されており、このばねが受容部（５）に挿入されるようたわみ可能であり、次いで該受容部（５）のアンダカット部（３５）に係合し、これにより差込コネクタユニット（３）を受容部（５）に固定することを特徴とする差込装置。
【請求項２】
ばね（１１）がワイヤスプリングから成ることを特徴とする請求項１記載の差込装置。
【請求項３】
ばね（１１）の少なくとも一端が差込コネクタユニット（３）の保持面（３０）に当接していることを特徴とする請求項１記載の差込装置。
【請求項４】
ばね（１１）が差込コネクタユニット（３）を周方向で少なくとも半分取り囲んでいることを特徴とする請求項１または３記載の差込装置。
【請求項５】
ばね（１１）が差込コネクタユニット（３）の差しはめ時に、受容部（５）を介してほぼ半径方向（３３）にのみたわみ広げられることを特徴とする請求項１記載の差込装置。
【請求項６】
ばね（１１）が少なくとも部分的に溝（１５）に配置されていることを特徴とする請求項１記載の差込装置。
【発明の詳細な説明】
【０００１】
背景技術
本発明は請求項１の上位概念に記載の差込装置に関する。
【０００２】
受容部に差込コネクタユニットを固定するためにばねを使用することは公知である。その場合、ばねが解離し、かつ固定がもはや保証されないという欠点がある。
【０００３】
発明の利点
これに対して、請求項１の特徴概念に記載の特徴を備えた本発明による差込装置が有する利点は、簡単な仕方と簡単な形式で差込コネクタユニットを受容部に簡単かつコスト安に組付けることが可能であることにある。固定に役立つばねは差込コネクタユニットに組込まれており、これにより解離することができない。
【０００４】
従属請求項に記載した手段によれば、請求項１に記載した差込装置の有利な実施形と改善とが可能である。
【０００５】
ばねのためにワイヤスプリングが使用されていると、それが簡単かつコスト安であるため有利である。
【０００６】
さらに、ばねが差込コネクタユニットを半径方向の周方向で少なくとも半分だけ取り囲んでいると、このことによりばねが差込コネクタユニットに良好に組込まれるため有利である。
【０００７】
ばねの少なくとも一端が差込コネクタユニットの面取部に当接していると、差込コネクタユニットの差しはめ時にばねが差込コネクタユニットから解離することなく受容部上でたわみ広がることができる。
【０００８】
組付けプロセス時に、ばねが半径方向にのみたわみ広がると有利である。
【０００９】
次に、本発明の１実施例を図面に示して以下の記載で詳細に説明する。
【００１０】
実施例の説明
図１ａは差込コネクタユニット３と受容部５とから成る本発明による差込装置１を非組付け状態で示す。受容部３は例えば軸方向の自由端に突出部２１を備えた接続管片２３から成る。この接続管片２３は例えば導管７またはリザーバ７から成る構成部分７に配置されている。開口６によって接続管片２３は導管７またはリザーバ７に結合されている。差込コネクタユニット３は電気的な差込コンタクト（図示せず）とセンサ例えば温度センサ９とを備えた差込コネクタ１３を有している。例えば容積センサのような他のセンサが使用されてもよい。差込コネクタユニット３にはばね１１例えばワイヤスプリング１１が組み込まれている。
【００１１】
図１ｂは図２のＩ−Ｉ線に沿った半径方向断面を示す。差込コネクタユニット３はこの半径方向断面では例えば方形の形状を有している。ばね１１は差込コネクタユニット３を少なくとも半分だけ取り囲んでおり、この実施例では、ばね１１は差込コネクタユニット３の３つの側面を取り囲んでいる。差込コネクタユニット３の第１の側面２９では、ばね１１が少なくとも部分的に溝１５内に配置されており、その結果、ばねは軸方向３１で確保されている。差込コネクタユニット３の第１の側面２９に隣接した第２の側面４０および第３の側面４２では、ばね１１は少なくとも部分的に自由であり、次いで軸方向３１に曲げられたその第１の端部２５で、かつ例えば軸方向３１に曲げられたその第２の端部２７でも、それぞれ傾斜面または面取部１７に、もしくは第１の側面２９へ向かって保持面３０に当接している。この面取部１７は保持面３０と共に、端部２５，２７を位置させる１つのノッチ３２を形成しており、かつその場所を起点として傾斜面１７はそれらの相互間隔が増大するように延びている。ワイヤスプリング１１の端部２５，２７は例えば９０°の角度で軸方向３１で下向きまたは上向きに曲げられていて（図１ａ）、ノッチ３２内に係合している。その場合、溝１５は側面４０，４２内でもノッチ３２まで延びていてそのところでばね１１を案内している。
【００１２】
差込コネクタユニット３が受容部５に軸方向３１で差しはめられると、ばね１１は突出部２１の例えば差しはめ方向に拡大した斜面１９（図１ａ）に当接し、かつ差込コネクタユニット３がさらに受容部５内へ押し込まれるとこの斜面によって案内され、その結果、半径方向３３でたわみ広げられる。このたわみ広げ時に、ばね１１の第１の端部２５および第２の端部２７は依然として保持面３０に当接はしているが、、しかしその際、両方の端部はこのたわみ広げによって図１ａ，図１ｂによるそれらの休止位置からは若干外向きに移動させられている。突出部２１は斜面１９に続いてアンダカット部３５を有しており、このアンダカット部によって、ぱね１１は再び図１ｂによるその位置にスナップ的に戻され、その結果、軸方向３１で見て突出部２１の下方に当接して、差込コネクタユニット３をその位置で受容部５内に固定する。差込コネクタ３は側面４０，４２に、組付け状態で受容部５の突出部２１を部分的に位置させる空スペース４７を有している（図２）。
【００１３】
図２は本発明による差込装置１を組付け状態で示す。この場合、突出部２１は空スペース４７内に位置している。ばね１１はアンダカット部２５に当接していて、差込コネクタユニット３が不所望に受容部３から外れることを防止している。ばね１１は少なくとも部分的に第１の側面２９では自由であり、かつ第１の側面２９へ向けて適当に押圧されることによってこの領域内で移動することができ、その結果、ばね１１は傾斜面１７上を滑動し、かつアンダカット部３５を越えて半径方向に飛び出し、このことにより、差込コネクタユニット３が受容部５から取り外されることができる。
【００１４】
溝１５が設けられていることと、ノッチ３２にばね１１が当接していることとによって、ばね１１が不所望に解離することはない。
【図面の簡単な説明】
【図１ａ】
本発明による差込装置を非組付け状態で示す図である。
【図１ｂ】
図２のＩ−Ｉ線に沿って断面した図である。
【図２】
本発明による差込装置を組付け状態で示す図である。
【国際公開パンフレット】
2004518980.tif 000003
2004518980.tif 000004
2004518980.tif 000005
2004518980.tif 000006
2004518980.tif 000007
2004518980.tif 000008
2004518980.tif 000009
2004518980.tif 000010
2004518980.tif 000011
2004518980.tif 000012
2004518980.tif 000013
【国際調査報告】
2004518980.tif 000014
2004518980.tif 000015
2004518980.tif 000016
2004518980.tif 000017
2004518980.tif 000018
2004518980.tif 000019